(57)【要約】      （修正有）【課題】広告、掲示物を床等に置く為の、表面に透明シートを設けたフロアーマットに於いて、広告、掲示物は勿論、表面の透明シートを容易に交換出来、床からずれ難く、高さが低く邪魔になり難いフロアーマットを提供する。【解決手段】透明シート付き広告、掲示物用フロアーマットに於いて、外枠、底板、透明シートのすべてを弾力性のある合成樹脂やゴム等で成形、構成する。外枠に於いて、床に向かい外周方向へスロープを設け、外枠内部に床面と平行にコの字型の溝を設け成形し、外枠の全周と底板の全周を溶着又は接着又は噛合せ、透明シートと底板の間に広告、掲示物を挿入し、外枠、底板、透明シート各々の弾力性を利用し、透明シート又は底板の全周の端を外枠内のコの字型の溝に挿入し組み合わせる。【選択図】図２
2010134242.tif 000002
【特許請求の範囲】
【請求項１】
ポスター等の広告や写真、絵、文字等を表示したシート状の掲示物を、透明シートと底板の間に挿入し、床等の平面に置く透明シート付き広告、掲示物用フロアーマットに於いて、外枠、底板、透明シートのすべてを弾力性のある合成樹脂やゴム等で成形、構成し、外枠に於いて、床に向かい外周方向へスロープを設け、外枠内部に床面と平行にコの字型の溝を設け成形し、外枠の全周と底板の全周を溶着又は接着又は噛合せ、各々の弾力性を利用し、透明シート又は底板の全周の端を外枠内のコの字型の溝の中に挿入し組み合わせ、透明シート又は底板を外せば広告、掲示物を交換出来、また透明シートも交換出来ることを特徴とする透明シート付き広告、掲示物用フロアーマット。
【請求項２】
前記透明シートの表面には、土足で踏まれても傷つき難い加工を施したことを特徴とする請求項１に記載の透明シート付き広告、掲示物用フロアーマット。
【請求項３】
前記外枠、底板、透明シートは、各々がお互いに移行性が無いか、又は移行性が低い素材又は配合を選択し、また外枠、底板は、接する床や床の塗装面素材に対し移行性が無いか、又は移行性が低い素材又は配合を選択したことを特徴とする請求項１又は２に記載の透明シート付き広告、掲示物用フロアーマット。
【請求項４】
前記透明シート付き広告、掲示物用フロアーマットを床等の平面上で、接する床や底板の樹脂の表面素材に対し移行性が無いか、又は移行性が低い素材の両面粘着シートを選択し、底板と床の間に点在させ、ずれを止め、さらにその両面粘着シートは、床から容易に剥がすことが出来ることを特徴とする請求項１乃至３に記載の透明シート付き広告、掲示物用フロアーマット。
【請求項５】
前記外枠、底板、透明シートの何れかを、合成樹脂やゴム等以外の素材を使用したことを特徴とする請求項１乃至４に記載の透明シート付き広告、掲示物用フロアーマット。
【発明の詳細な説明】
【技術分野】
【０００１】
本発明は、表面に透明シートを設けた、広告や掲示物を床等の平面に置く為のフロアーマットに関するものである。
【背景技術】
【０００２】
先願の床置き型広告マットに於いて、特許文献１のマットは、見開き型となっていて、透明シートが土足で踏まれて傷付いた時、透明シートのみの交換が出来ないこと、特許文献３，４は透明シートを磁性体で底板と留め付けており、足を引っ掛けると捲れる可能性があったり、様々な欠点があり実質的に普及していない。
【特許文献１】特開２００２−１５６９２８
【特許文献２】特開平１１−１０９９０１
【特許文献３】特開平１１−２７２２１９
【特許文献４】実用新案第３０４９９５０号
【発明の開示】
【発明が解決しようとする課題】
【０００３】
従来、床等の平面に設置される広告、掲示物は印刷されたシートを床等に貼り付けているが、土足で踏まれて印刷が摩耗し見難くなる。また、印刷されたシートのコストが高く、短期間で広告、掲示物を交換し難い。
また、先願の床置き型広告マットの欠点を解決し、普及させることが出来る品質、コストを提供する。
【課題を解決するための手段】
【０００４】
本発明は、外枠、底板、透明シートのすべてを弾力性のある合成樹脂やゴム等で成形、構成し、外枠に於いて、床に向かい外周方向へスロープを設け、外枠内部に床面と平行にコの字型の溝を設け成形する。押し出し成形の場合は、コーナーを４５度に切り溶着又は接着で接合し、その後外枠の全周と底板の全周を溶着又は接着又は噛合せ、透明シートと底板の間に広告、掲示物を挿入し、外枠、底板、透明シート各々の弾力性を利用し、透明シート又は底板の全周の端を外枠内のコの字型の溝の中に挿入し組み合わせる。
【発明の効果】
【０００５】
本発明は、床等の平面を新しい広告、掲示スペースとして、今まで使用していな店舗等の空きスペースの有効利用が出来る。
店舗に於いては、購買現場で商品のアピールが出来、購買衝動を刺激することが出来る。
【０００６】
シート状の広告、掲示物を透明シートと底板の間に挿入しているので、本発明の広告、掲示物用フロアーマットの表面の透明シートを通し上から広告、掲示物が見え、土足で踏まれても広告、掲示物は汚れない。透明シート又は底板を外し、広告、掲示物を容易に交換出来、さらに透明シートも容易に交換することが出来る。
又、本発明は全体の高さを低く抑え、外枠にスロープを設けてあるので店舗内のカート、台車等の車輪を乗り上げることが出来、邪魔になり難い。
【０００７】
請求項２に於いて、前記透明シートは、合成樹脂製で弾力性があり、表面には土足で踏まれても傷つき難い加工を施した物を選択する。一例としてＥＶＡ（エチレン・ビニル・アセテート）樹脂製シートの両面にアイオノマー（エチレン・メタアクリル酸共重合体）樹脂をコーティングし、さらに表面に特殊加工されたＰＥＴ（ポリエチレン・テレフタレート）樹脂製フィルムを強粘着させた透明シートが適している。      
【０００８】
請求項３に於いて、前記外枠、底板、透明シートは、各々がお互いに、長時間接していると固着してしまう移行性が無いか、又は移行性が低い素材又は配合を選択し、また外枠、底板は、接する床や床の塗装面素材等に対しても同様に移行性が無いか、又は移行性が低い素材又は配合を選択する。
【０００９】
請求項４に於いて、前記広告、掲示物用フロアーマットを床等の平面上で、接する床や底板の樹脂の素材に対し移行性が無いか、又は移行性が低い素材の両面粘着シートを選択し、底板と床の間に点在させ、本広告、掲示物用フロアーマットのずれを止める。また、シート状の広告、掲示物や透明シートを交換する際は、床から容易に剥がすことが出来る両面粘着シートを選択する。
【発明を実施するための最良の形態】
【００１０】
本広告、掲示物用フロアーマット１００を製造、組み合わせ、使用する際の最良の形態を説明する。
図１は、本発明の透明シート付き広告、掲示物用フロアーマット１００の斜視図である。
図２〜５は、本発明の透明シート付き広告、掲示物用フロアーマット１００の第１〜４の実施例を示しており、図１の一点差線上での断面図である。
【００１１】
第１の実施例では、外枠３ａを床に向かい外周方向へスロープを設け、外枠３ａの内部に床面と平行にコの字型の溝４ａを設け、弾力性のある合成樹脂やゴム等で成形する。押し出し成形の場合は、外枠３ａの四隅を４５度に切りコーナー９ｆで溶着又は接着で接合し、外枠３ａから出したフィン６ａの部分で底板１ａの端と外枠３ａをウエルダー溶着又は接着で留め付ける。
底板１ａの上に広告、掲示物８ａを置き、外枠３ａ内のコの字型の溝４ａの中に、透明シート２ａと底板１ａと外枠３ａの弾力性を利用し、透明シート２ａの全周の端を挿入し組み合わせる。
【００１２】
図２の第１の実施例、図３の第２の実施例，図４の第３の実施例，図５の第４の実施例に於いても、透明シート２ａ〜ｅは、ＥＶＡ樹脂製シートの両面にアイオノマー樹脂をコーティングし、さらに表面に特殊加工されたＰＥＴ樹脂製フィルム７ａ〜ｅを強粘着させた物が、弾力性があり、土足で踏まれても傷つき難く適している。
【００１３】
表面の透明シート２ａ〜ｅに、上記説明の構造の透明シート２ａ〜ｅを使用する場合、気温の変化により、表面に強粘着してあるＰＥＴフィルム７ａ〜ｅの収縮が少なく、基材であるＥＶＡの収縮が大きい場合、シートの端に数ミリのＰＥＴフィルム７ａ〜ｅの端が飛び出すことがある。
広告、掲示物８ａ〜ｄや透明シート２ａ〜ｅを交換する際、稀に手を切る可能性があるので、図６の様に透明シート２ｅの裏側から、高周波で樹脂を溶かすウエルダーの電極１５ｅで透明シート２ｅの端の基材であるＥＶＡを溶解してＰＥＴフィルム７ｅの端を包み込む方法もある。
【００１４】
図３は、第２の実施例を示す断面図であり、外枠３ｂを床に向かい外周方向へスロープを設け、外枠３ｂの内部に床面と平行にコの字型の第１の溝４ｂと第２のコの字型の溝５ｂの２つを設け、弾力性のある合成樹脂やゴム等で成形し、押し出し成形の場合は、その外枠３ｂの隅を４５度に切り、外枠３ｂのコーナー９ｆを溶着又は接着で接合し四角形の外枠を作る。
【００１５】
その後、外枠３ｂのコの字型の溝４ｂの中に、透明シート２ｂと底板１ｂと外枠３ｂの弾力性を利用し、透明シート２ｂの全周の端を挿入し、必要に応じ、裏側から第１の溝の裏１１ｂの位置で外枠３ｂの端と透明シート２ｂの端をホチキスの針１２ｂや釘やネジ等で留め付け補強しても良い。
透明シート２ｂと底板１ｂの間に広告、掲示物８ｂを挿入し、第２のコの字型の溝５ｂに底板１ｂの全周の端を挿入し組み合わせる。
このことにより第２の実施例の場合、透明シート２ｂを交換する際は、底板１ｂを外枠３ｂから外し、第１の溝の裏側１１ｂで留め付けているホチキスの針１２ｂや釘やネジ等を外し、透明シート２ｂを入れ替える。
【００１６】
図４、図５は第２の実施例と同じ構造で底板１ｃ〜ｄ、と外枠３ｃ〜ｄの噛合せの形状が異なる第３、第４の実施例を示す断面図である。噛合せの形状以外の詳細は第２の実施例と同じである。
【００１７】
図２，３，４，５の外枠３ａ〜ｄのコの字型の溝の上部で、透明シート２ａ〜ｄ  と接する位置に２個の突起１４ａ〜ｄを設けているが、透明シートの上から水分等が外枠３ａ〜ｄ内に入り難くする為の物である。
【００１８】
図７は、第１、第２、第３、第４の実施例のコーナーの透視平面図であり、押し出し成形の場合は、外枠３ｆのコーナー９ｆは、溶着又は接着による接合面が表面に見え、見栄えが悪い。
従って必要に応じ、コーナー化粧カバー１０ｆを別途インジェクションで成形し、コーナー９ｆを覆い粘着又は接着すれば繋ぎ目が隠れ見栄えが良い。
コーナー化粧カバーを使用せず、コーナー部分全体を別途インジェクション成形し、押し出し成型した外枠をコーナー部材に嵌め込む方法もある。
【００１９】
第１、第２、第３、第４の何れの実施例に於いても、底板１ａ〜ｄと床の間に両面粘着シート１３ａ〜ｄを点在させ、本広告、掲示物用フロアーマット１００の床でのずれを止めることも出来る。
底板１ａ〜ｄ、床に対し粘着面で移行性が無いか、又は移行性が低い素材の両面粘着シート１３ａ〜ｄを選択する。    
広告、掲示物８ａ〜ｄや透明シート２ａ〜ｅを交換する際は、この両面粘着シート１３ａ〜ｄは容易に剥がすことが出来る品質を選択する。
【００２０】
請求項１に於いて、本発明の広告、掲示物用フロアーマット１００の、透明シート２ａ〜ｅ、底板１ａ〜ｄ、外枠３ａ〜ｄ、ｆ、を合成樹脂やゴム等で成形すると記載したが、何れかを合成樹脂やゴム等以外の素材を使用し、同じあるいはより良い性能が出るなら、合成樹脂やゴム等以外の素材で成形、構成しても良い。
【図面の簡単な説明】
【００２１】
【図１】本発明の広告、掲示フロアーマットを床等に置いた状態の斜視図である。
【図２】第１の実施例で、図１の一点鎖線上での断面図である。
【図３】第２の実施例で、図１の一点鎖線上での断面図である。
【図４】第３の実施例で、図１の一点鎖線上での断面図である。
【図５】第４の実施例で、図１の一点鎖線上での断面図である。
【図６】透明シートの表層ＰＥＴ樹脂製フィルムの端を包み込んだ断面図である。
【図７】コーナー化粧カバーを留め付けた状態の透視平面図である。
【符号の説明】
【００２２】
１００    透明シート付き広告、掲示物用フロアーマット、
１ａ〜ｄ  底板、２ａ〜ｅ  透明シート、３ａ〜ｄ、ｆ  外枠、    
４ａ〜ｄ  第１のコの字型の溝、５ｂ〜ｄ  第２のコの字型の溝、
６ａ      底板留め付けフィン、７ａ〜ｅ  透明シートの表層ＰＥＴ樹脂製フィルム、  ８ａ〜ｄ  広告、掲示物、９ｆ  接合コーナー繋ぎ目、１０ｆコーナー化粧カバー、
１１ｂ〜ｄ  第１の溝の裏側、１２ｂ〜ｄ  ホチキスの針、
１３ａ〜ｄ  両面粘着シート、１４ａ〜ｄ  水の浸入防止突起、
１５ｅ      ウエルダー電極、
【図１】
2010134242.tif 000003
【図２】
2010134242.tif 000004
【図３】
2010134242.tif 000005
【図４】
2010134242.tif 000006
【図５】
2010134242.tif 000007
【図６】
2010134242.tif 000008
【図７】
2010134242.tif 000009